(57)【要約】【課題】例えば、海辺などの波形や潮の引いていく様子を連想させるごとく、美しい流体装飾の現出を実現し、優れた装飾性、更には高級感をも備えた商品的価値の極めて高い流体演出機能付き時計を提供する。【解決手段】時計本体１の外表部に、時刻表示部１３を透視可能な封入室２を設け、この封入室２に流体Ｗを流動自在に封入した流体演出機能付き時計である。前記封入室２は、時計ケース３の周縁に一体成形された凹溝４と、前記凹溝４の内枠４ａに固定され、内枠内周面を被覆する透明部材５と、前記凹溝４の外枠４ｂに固定され、前記透明部材５の上面と所定間隔を確保しながら、外枠内周面を被覆する表示面カバー６とで形成されている。前記透明部材５と前記表示面カバー６の間の空間（現出部２ａ）に流入した流体Ｗを前記凹溝４内へ流出させることで、流体装飾が演出される。【選択図】          図３
2006162587.tif 000002
【特許請求の範囲】
【請求項１】
時計本体の外表部に、時刻表示部を透視可能な封入室を設け、この封入室に流体を流動自在に封入したことを特徴とする流体演出機能付き時計。
【請求項２】
前記封入室は、時計ケースの周縁に一体成形された凹溝と、前記凹溝の内枠に固定され、内枠内周面を被覆する透明部材と、前記凹溝の外枠に固定され、前記透明部材の上面と所定間隔を確保しながら、外枠内周面を被覆する表示面カバーとで形成され、前記透明部材と前記表示面カバーの間の空間に流入した流体を前記凹溝内へ流出させることで、流体装飾が演出される請求項１に記載の流体演出機能付き時計。
【請求項３】
前記封入室の適宜位置にオリフィスを設けた請求項１又は２に記載の流体演出機能付き時計。
【請求項４】
前記透明部材と前記表示面カバーの双方、若しくは何れか一方を曲面形状に形成した請求項２又は３に記載の流体演出機能付き時計。
【請求項５】
請求項１乃至４に記載の時計において、時刻表示部を構成する文字盤などの表面に白蝶貝等を加工成形したシートを施し、流体装飾が演出される封入室を通してこれを視認し得るようにした流体演出機能付き時計。
【請求項６】
請求項１乃至５に記載の時計において、時計本体に、一部又は全部が透明で内部に固形物を封入した中空状のリングを設け、該リングの砂浜状態に前記封入室の流体の引潮状態を組み合わせた流体演出機能付き時計。
【請求項７】
時計本体に、一部又は全部が透明で内部に流体を封入した筒蓋状の透明カプセルを設け、この透明カプセルの内側に、少なくとも時刻表示部を収容配置したことを特徴とする流体演出機能付き時計。
【請求項８】
前記透明カプセルは、流体装飾が演出される中空状の現出部と、前記現出部に連通して垂設され、該現出部内の流体を一時的に貯溜し得る流体貯溜部とから構成される請求項７に記載の流体演出機能付き時計。
【請求項９】
時計本体に、白蝶貝等を加工成形したシートを表面又は裏面に接合し、且つ、内部に流体を封入した中空状の透明容体を配置したことを特徴とする流体演出機能付き時計。
【請求項１０】
前記透明容体を文字盤の上面に設けた請求項９に記載の流体演出機能付き時計。
【請求項１１】
前記シートには、適宜の文字、模様等を印刷手段で施した請求項９又は１０に記載の流体演出機能付き時計。
【発明の詳細な説明】
【技術分野】
【０００１】
本発明は、腕時計などの時刻表示面に変化自在な流体現象を現出させる時計に関し、特に、美しい流体装飾を実現し、商品的価値にも優れた流体演出機能付き時計に関する。
【背景技術】
【０００２】
従来の時計は、時計駆動部の上側に時字等が施された文字盤を配置し、この文字盤上には時計駆動部によって駆動される時針、分針、秒針などを配置して時刻表示部を構成し、ガラス製や樹脂製から成るカバー内に収容されたものであった。時間の推移を確認する際には、カバーを通して時刻表示部を見ることで時刻を視認していた。このような時計の場合、目に入ってくるものは、時針、分針、秒針などによって表現される時間の推移のみであり、時計を眺めても機械的動作以外の楽しさや面白さ、更には装飾的価値というものは無かった。そこで、近年ではデザインの多様化により、ダイヤモンドなどの貴石や白蝶貝などの貝類を施して、より高級感や装飾性を高めた時計が各種提案されている（例えば、特許文献１参照）。
【０００３】
例えば、特開平３−１８６７８９号公報では、金属基板と、この金属基板に固着された透過性の白蝶貝又はアワビ等の貝基板であって、両面の対抗する位置に同形状で部分的に漂白又は染色により形成された変色部を有し、且つ、下面に有色樹脂層を有する貝基板と、この貝基板の上面に形成された時字等の印刷物から構成される文字盤が開示されている。また、装飾性と共に面白さなどを実現すべく、時刻表示面に変化自在に模様を現出した時計も提案されている（例えば、特許文献２参照。）。
【０００４】
例えば、特開昭６１−２６４２８４号公報に記載の時計は、円筒スペーサに夫々取着した径の異なる二枚の透明部材間に液体及び固体を封入して液体容器を構成し、この液体容器を文字盤の上部で、且つ、各指針より上部に時刻表示部を覆うように配置され、透明部材の一方が時計のカバーガラスを兼ねるように構成されている。これにより、時計を揺動させれば、液体容器内の液体及び固体が無秩序的に動作するので、楽しく、面白い時刻表示部が得られるというものである。
【特許文献１】特開平３−１８６７８９号公報
【特許文献２】特開昭６１−２６４２８４号公報
【発明の開示】
【発明が解決しようとする課題】
【０００５】
しかしながら、上記特許文献１のように、白蝶貝やアワビなどの貝類を基板として用いても、その美しさは平面的な表現に留まり、その装飾性には限界があった。また、上記特許文献２をはじめ、従来この種の時計では、単に液体を停滞させるような無秩序的動作に終始するものであり、例えば、文字盤などに白蝶貝などの装飾物を施したり、或は泡や生き物を連想するような装飾物を液体に混入しても、前述のごとく、この無秩序的動作の下では、白蝶貝などの貝類が持つ美しさを表現することはできず、また、液体と共に液体容器内に混入された装飾物は美しさを表現できない流動に留まり、時計に美しい装飾性が付加されるものではない。勿論、高級感などは到底実現し得るものではない。
【０００６】
本発明は、上記の課題点に鑑み、鋭意研究の結果開発に至ったものであり、その目的とするところは、例えば、海辺などの波形や潮の引いていく様子を連想させるごとく、美しい流体装飾の現出を実現し、優れた装飾性、更には高級感をも備えた商品的価値の極めて高い流体演出機能付き時計を提供することにある。
【課題を解決するための手段】
【０００７】
上記目的を達成するため、請求項１に係る発明は、時計本体の外表部に、時刻表示部を透視可能な封入室を設け、この封入室に流体を流動自在に封入した流体演出機能付き時計である。
【０００８】
請求項２に係る発明は、前記封入室は、時計ケースの周縁に一体成形された凹溝と、前記凹溝の内枠に固定され、内枠内周面を被覆する透明部材と、前記凹溝の外枠に固定され、前記透明部材の上面と所定間隔を確保しながら、外枠内周面を被覆する表示面カバーとで形成され、前記透明部材と前記表示面カバーの間の空間に流入した流体を前記凹溝内へ流出させることで、流体装飾が演出される流体演出機能付き時計である。
【０００９】
請求項３に係る発明は、前記封入室の適宜位置にオリフィスを設けた流体演出機能付き時計である。
【００１０】
請求項４に係る発明は、前記透明部材と前記表示面カバーの双方、若しくは何れか一方を曲面形状に形成した流体演出機能付き時計である。
【００１１】
請求項５に係る発明は、時刻表示部を構成する文字盤などの表面に白蝶貝等を加工成形したシートを施し、流体装飾が演出される封入室を通してこれを視認し得るようにした流体演出機能付き時計である。
【００１２】
請求項６に係る発明は、時計本体に、一部又は全部が透明で内部に固形物を封入した中空状のリングを設け、該リングの砂浜状態に前記封入室の流体の引潮状態を組み合わせた流体演出機能付き時計である。
【００１３】
請求項７に係る発明は、時計本体に、一部又は全部が透明で内部に流体を封入した筒蓋状の透明カプセルを設け、この透明カプセルの内側に、少なくとも時刻表示部を収容配置した流体演出機能付き時計である。
【００１４】
請求項８に係る発明は、前記透明カプセルは、流体装飾が演出される中空状の現出部と、前記現出部に連通して垂設され、該現出部内の流体を一時的に貯溜し得る流体貯溜部とから構成される流体演出機能付き時計である。
【００１５】
請求項９に係る発明は、時計本体に、白蝶貝等を加工成形したシートを表面又は裏面に接合し、且つ、内部に流体を封入した中空状の透明容体を配置した流体演出機能付き時計である。
【００１６】
請求項１０に係る発明は、前記透明容体を文字盤の上面に設けた流体演出機能付き時計である。
【００１７】
請求項１１に係る発明は、前記シートには、適宜の文字、模様等を印刷手段で施した流体演出機能付き時計である。
【発明の効果】
【００１８】
請求項１又は２に係る発明によると、従来のように、単に液体を停滞させるような無秩序的動作に終始するものではなく、時計の中に、例えば、海辺などの波形や潮の引いていく様子を連想させるごとく、美しい流体装飾の現出が実現可能となり、この美しい流体装飾によって、例えば、文字盤などに施された装飾を効果的に引き立たせ、更には、本発明の時計を眺める者にリラクゼーション効果をも与える商品的価値の極めて高い時計として提供可能である。また、流体装飾効果が時計の時間表示機能に影響を与えることはなく、長期に亘って、安全に且つ快適に使用することができる。少ない部品点数と極めて容易な加工で、流体を封入し得る密閉空間の形成が可能であり、しかも、この密閉空間である封入室を、時計ケースや表示面カバー等から形成できるので、低コストでの製造が可能であり、量産性にも優れている。
【００１９】
請求項３に係る発明によると、封入室内の流体の動きを穏やかにして、例えば、海辺などの波形や潮の引いていく様子をより自然の海辺に近い状態で現出させることが可能となる。これにより、封入室内の流体を極めて美しい流動で現出させることができ、従来にはない流体装飾効果の実現を可能にする。
【００２０】
請求項４に係る発明によると、透明部材と表示面カバーの双方、若しくは何れか一方に、凸レンズ機能を具備させることができるので、時刻の確認はもとより、その美しい流体装飾を効果的に表現させて、これを眺める者にリラクゼーション効果を与えることができる。
【００２１】
請求項５に係る発明によると、優れた装飾性に加え、高級感に富む時計として提供することができる。しかも、波形や潮の引いていく様子を連想させる流体の美しい動きと相俟って、白蝶貝などの装飾物が持つ美しさを十分に表現し得るものとなる。即ち、文字盤などに施された装飾物の美しさを平面的な表現に留まらせることなく、その美しさを十分に引き立たせることができ、優れた装飾性、更には高級感をも備えた商品的価値の極めて高い時計として提供可能となる。
【００２２】
請求項６に係る発明によると、封入室内に封入された流体（例えば、水）の流動と、リング内に封入された固形物（例えば、砂）の流動とが相俟って、砂浜を連想させるごとく、美しい流体装飾を現出させることができる。
【００２３】
請求項７又は８に係る発明によると、従来のように、単に液体を停滞させるような無秩序的動作に終始するものではなく、時計の中に、例えば、海辺などの波形や潮の引いていく様子を連想させるごとく、美しい流体装飾の現出が実現可能となり、この美しい流体装飾によって、例えば、文字盤などに施された装飾を効果的に引き立たせ、更には、本発明の時計を眺める者にリラクゼーション効果をも与える商品的価値の極めて高い時計として提供可能である。また、流体装飾効果が時計の時間表示機能に影響を与えることはなく、長期に亘って、安全に且つ快適に使用することができる。
【００２４】
また、現出部を曲面形状に形成すれば、この現出部に凸レンズ機能を具備させることができるので、時刻の確認はもとより、その美しい流体装飾を効果的に表現させて、これを眺める者にリラクゼーション効果を与えることができる。
【００２５】
更に、透明カプセルの適宜位置にオリフィスを形成すれば、現出部から流体貯溜部への流体の流出速度を小さくすることができるので、流体の動きを穏やかにして、例えば、海辺などの波形や潮の引いていく様子をより自然の海辺に近い状態で現出させることができる。これにより、透明カプセル内の流体を極めて美しい流動で現出させることができ、従来にはない流体装飾効果の実現を可能にする。
【００２６】
更には、時刻表示部を構成する文字盤などの表面に白蝶貝等を加工成形したシートを施せば、優れた装飾性に加え、高級感に富む時計として提供することができる。しかも、波形や潮の引いていく様子を連想させる流体の美しい動きと相俟って、白蝶貝などの装飾物が持つ美しさを十分に表現し得るものとなる。即ち、文字盤などに施された装飾物の美しさを平面的な表現に留まらせることなく、その美しさを十分に引き立たせることができ、優れた装飾性、更には高級感をも備えた商品的価値の極めて高い時計として提供可能となる。
【００２７】
更には、時計本体に、一部又は全部が透明で内部に固形物を封入した中空状のリングを設ければ、透明カプセル内に封入された流体（例えば、水）の流動と、リング内に封入された固形物（例えば、砂）の流動とが相俟って、砂浜を連想させるごとく、美しい流体装飾を現出させることができる。
【００２８】
請求項９又は１０に係る発明によると、美しい白蝶貝等の装飾に、流体の動く様子が美しい模様となって映し出される、装飾性の高い時計として提供可能となる。
【００２９】
請求項１１に係る発明によると、例えば、白蝶貝等を加工成形したシートに印刷手段を用いて適宜の文字、模様等を施すことで、更に装飾性の高い時計として提供可能となる。
【発明を実施するための最良の形態】
【００３０】
以下に、本発明における流体演出機能付き時計の実施形態を図面に基づいて説明する。図１は、第１発明における流体演出機能付き時計の一例を示した概略平面図であり、図２は、第１発明における流体演出機能付き時計の一例を示した断面概略図である。なお、本実施形態では、アナログ表示機能を採用して説明するが、デジタル表示機能など、あらゆる形態に適用される。
【００３１】
図中１は、時計本体であり、２は、流体（以下、液体Ｗという）の封入された筒蓋状の封入室である。前記筒蓋状の封入室２は、時計ケース３の周縁に一体成形された凹溝４と、前記凹溝４の内枠４ａに固定され、内枠内周面を被覆する樹脂製（或はガラス製等）の透明部材５と、凹溝４の外枠４ｂに固定され、前記透明部材５の上面と所定間隔を確保しながら、外枠内周面を被覆するガラス製（或は樹脂製等）の表示面カバー６とで形成されている。この封入室２内に封入された液体Ｗは、前記透明部材５と前記表示面カバー６との間の空間（以下、現出部２ａという）と前記凹溝４との間を移動自在に流動する。なお、本例で示す透明部材５は、密閉可能な接着剤を介して内枠４ａに取付固定され、また、表示面カバー６は、防水パッキン７を介して外枠４ｂに取付固定されているが、透明部材５と内枠４ａとの間、並びに表示面カバー６と外枠４ｂとの間を確実に密閉しうるものであれば、あらゆる固定手段が採用される。
【００３２】
図中８は、例えば、時字、絵、写真、装飾物などが施された文字盤であり、９は、時計駆動部であり、１０、１１、１２は、時計駆動部９によって駆動される時針、分針、秒針であり、１３は、文字盤８、時針１０、分針１１、及び秒針１２などから構成される時刻表示部である。図２に示すように、前記時刻表示部１３は、筒蓋状の封入室２で覆われるように配置されている。また、図中１４は、裏蓋であり、１５は、リューズであり、１６は、シール部材である。
【００３３】
前記封入室２の形状は、本例に限定されるものではなく、例えば、平面視楕円形状や平面視多角形状など、実施に応じたあらゆる形態を採ることができる。また、図２に示すように、現出部２ａを曲面形状に形成することで、封入された液体Ｗに所望の流動性を持たせることができ、しかも、前記透明部材５と前記表示面カバー６の双方、若しくは何れか一方を曲面形状にして、これら部品に凸レンズ機能を具備させることも可能である。図中１７は、オリフィスであり、本例では現出部２ａと凹溝４との境界位置に設けて、現出部２ａから凹溝４への液体Ｗの流出速度を小さくするよう設定されている。
【００３４】
前記封入室２に封入される液体Ｗは、凹溝４内にすべて流入したときに、現出部２ａ内を完全に空間とする容量が好ましい。勿論、現出部２ａ内に部分的に空間を形成する容量であってもよい。また、液体Ｗにはアルコール類などの耐腐食性に優れたものや、防腐剤を投入した液体を採用するとよい。更に、液体Ｗは単一液から成るものや、比重差を持った２種類以上の液体を共存させたものでもよく、更には、この液体Ｗに色彩を付加させてもよい。
【００３５】
また、液体Ｗと共に図示しない浮遊装飾体を封入室２内に混入してもよい。一例として、封入室２内に比重が重い液体（例えば、水）と、比重が軽い液体（例えば、アルコール）とを混入し、これらを分離させることによって境界線を形成し、この境界線の位置に浮遊装飾体を配置させる。この場合、浮遊装飾体は自在な発想に基づき、各種形態とすることが可能であり、例えば、粒状のダイヤモンドや、発光物、或は反射物等から成る細片状物を入れることで、封入室２全体の装飾効果を演出することもできる。
【００３６】
本実施形態では、白蝶貝が施された文字盤８を採用している。本例で示す白蝶貝は鏡のように研磨されて加工成形されたシート１８を文字盤８に取付け、液体Ｗの美しい流動と相俟って、その高級感や装飾性をいっそう引き立たせている。また、前記シート１８には、文字、模様等を適宜の印刷手段を用いて施すこともできる。勿論、文字盤８以外の部位にも白蝶貝などの装飾物を施してもよい。また、白蝶貝のほかに、その他の美しい貝類やダイヤモンドなどの貴石、或は写真や絵などを時刻表示部１３の適宜位置に施して、より高級感や装飾性を高めてもよい。更には、図示しない装飾用ライトを時計本体１の適宜位置に配置して、液体Ｗの美しい動きや装飾物の美しさを、光によって更に美しく演出させてもよい。
【００３７】
後述する図３に示すように、凹溝４の周壁の一部を内方に向けて突設させ、全周に亘ってテーパ部４ｃを形成し、このテーパ部４ｃにダイヤルリング１９を取り付けてもよく、このダイヤルリング１９にも、文字盤８と同様に白蝶貝などの装飾物を施して、よりいっそう装飾性を高めてもよい。一方、前記テーパ部４ｃに直接、数字や文字、或はデザイン等を施すことも可能で、この場合には、ダイヤルリング１９を設けなくてよい。
【００３８】
図示しないが、ダイヤルリングの内部を中空とすると共に、少なくとも表面を透明状にして、このダイヤルリング内に粒状の固形物（例えば、砂）を封入して、使用者の手部の動きに合わせて流動するように設けてもよい。この場合には、封入室２内に封入された液体Ｗの流動と、このダイヤルリング内に封入された固形物の流動とが相俟って、砂浜を連想させるごとく、流体装飾を現出させることができる。また、ダイヤルリングの設置角度や容積を適宜設定することで、固形物の流動に所望の流速を持たせることができ、上方から下方への移動を美しく表現できる。勿論、ダイヤルリングに封入される流体は液体などでもよく、しかも、封入室２内に封入される液体Ｗに比して、粘性のある流体を採用すれば、流動速度に違いを持たせた流体装飾を現出させることもでき、更には、夫々異なる色彩を施してもよい。
【００３９】
次に、本実施形態の作用を説明する。図３は、第１発明における作用説明図である。時刻表示部１３を上向きにして、時刻表示部１３を目視できる状態にすると、同図に示すように、封入室２の現出部２ａ内に流入していた液体Ｗは、凹溝４に向けて流出し始める。この液体Ｗの流出に伴い、現出部２ａ内には海辺などの波形や潮の引いていく様子を連想させるごとく、液体Ｗによる美しい流動が現出され、更には、文字盤８に施された白蝶貝などの装飾物が持つ美しさを引き立たせる流体装飾効果が表われる。
【００４０】
また、図示されるように、現出部２ａを曲面形状に形成することで、液体Ｗを現出部２ａの略中央から外径方向へ向けて、穏やかに引いていくような流動性を持たせており、波形と相俟って海辺などを連想させるような、より美しい流動を現出させている。勿論、曲面の曲率を大小設定することで、実施に応じた所望の流動性が実現できる。しかも、前記透明部材５と前記表示面カバー６の双方、若しくは何れか一方を曲面形状にして、これら部材に凸レンズ機能を具備させることで、時刻の確認はもとより、その流体装飾効果を効果的に表現して、これを眺めることができる。
【００４１】
更に、本例のように現出部２ａと凹溝４との境界位置（或は、その他の箇所）に実施に応じたオリフィス１７を設けることで、液体Ｗに所望の流出速度を持たせることが可能であり、更に、波形の有無も実施に応じて任意に設定できる。このように、文字盤８などの時刻表示部１３に施されるデザインや装飾物に合った流体装飾を自在に演出させることができるので、使用者は時間の推移を視認しながら、同時にその優れた流体装飾効果によって、商品的価値の高さを認識することになり、更に、その美しい流体装飾効果によって、リラクゼーション効果をも受けることができる。勿論、液体Ｗの流動が時計の時刻表示機能に影響を与えることはなく、また、軽量であるので長時間快適に使用することができる。
【００４２】
次いで、時間の推移の確認が終了し、使用者の手部の動作によって、時刻表示部１３が上向きでない状態となると、凹溝４に貯溜されていた液体Ｗが現出部２ａ内へと流入していく。これにより、再び時刻表示部１３を上向きにしたときに、前述した流体装飾効果がいつでも再現される。勿論、時計を装着していない状態においても、この流体装飾効果は実現される。
【００４３】
次に、第２発明である流体演出機能付き時計の実施形態を説明する。図４は、第２発明における流体演出機能付き時計を示した分離斜視図であり、図５は、図４に示す透明カプセルの一部切欠き斜視図であり、また、図６は、第２発明における流体演出機能付き時計を示した断面概略図である。上述した第１発明と同様、アナログ表示機能を採用して説明する。
【００４４】
図中２１は、時計本体であり、２２は、本例ではガラス製（或は樹脂製など）の表示面カバーであり、２３は、例えば、合成樹脂などの透明材料から構成され、内部に流体（以下、液体Ｗという）が封入された筒蓋状の透明カプセルであり、２４は、例えば、時字、絵、写真、装飾物などが施された文字盤であり、２５は、時計駆動部であり、２６、２７、２８は、時計駆動部２５によって駆動される時針、分針、秒針であり、２９は、文字盤２４、時針２６、分針２７、及び秒針２８などから構成される時刻表示部であり、３０は、時計ケース、及び３１は、裏蓋である。
【００４５】
図６に示すように、本例で示す筒蓋状の透明カプセル２３の内側には、文字盤２４、時針２６、分針２７、及び秒針２８などから構成される時刻表示部２９、更には、時計駆動部２５も収容配置可能な空間部２３ａを有している。この透明カプセル２３は、時刻表示部２９の上方に配置される中空状の現出部３２と、この現出部３２に連通して垂設され、該現出部３２内の液体Ｗを一時的に貯溜し得る流体貯溜部３３とから構成されている。透明カプセル２３内に封入された液体Ｗは、前記現出部３２と流体貯溜部３３との間を移動自在に流動する。透明カプセル２３は、時計ケース３０内に強固に位置保持されるので、不用意に動くことはない。
【００４６】
前記透明カプセル２３の形状は、本例に限定されるものではなく、平面視楕円形状や、平面視多角形状など、実施に応じたあらゆる形状をとることができる。図示するように、現出部３２を曲面形状に形成することで、封入された液体Ｗに所望の流動性を持たせることができ、しかも、曲面形状とする場合、現出部３２に凸レンズ機能を具備させることも可能である。図中３４は、オリフィスであり、本例では現出部３２と流体貯溜部３３との境界位置に設けて、現出部３２から流体貯溜部３３への液体Ｗの流出速度を小さくするよう設定されている。
【００４７】
前記透明カプセル２３に封入される液体Ｗは、流体貯溜部３３内にすべて流入したときに、現出部３２内を完全に空間とする容量が好ましい。勿論、現出部３２内に部分的に空間を形成する容量であってもよい。また、液体Ｗにはアルコール類などの耐腐食性に優れたものや、防腐剤を投入した液体を採用するとよい。更に、液体Ｗは単一液から成るものや、比重差を持った２種類以上の液体を共存させたものでもよく、更には、この液体Ｗに色彩を付加させてもよい。
【００４８】
また、液体Ｗと共に図示しない浮遊装飾体を透明カプセル２３内に混入してもよい。一例として、透明カプセル２３に比重が重い液体（例えば、水）と、比重が軽い液体（例えば、アルコール）とを混入し、これらを分離させることによって境界線を形成し、この境界線の位置に浮遊装飾体を配置させる。この場合、浮遊装飾体は自在な発想に基づき、各種形態とすることが可能であり、例えば、粒状のダイヤモンドや、発光物、或は反射物等から成る細片状物を入れることで、透明カプセル２３全体の装飾効果を演出することもできる。
【００４９】
本実施形態では、白蝶貝が施された文字盤２４を採用している。本例で示す白蝶貝は鏡のように研磨されて加工成形されたシート３５を文字盤２４に取付け、液体Ｗの美しい流動と相俟って、その高級感や装飾性をいっそう引き立たせる。また、前記シート３５には、文字、模様等を適宜の印刷手段を用いて施すこともできる。勿論、文字盤２４以外の部位にも白蝶貝などの装飾物を施してもよい。また、白蝶貝のほかに、その他の美しい貝類やダイヤモンドなどの貴石、或は写真や絵などを時刻表示部２９の適宜位置に施して、より高級感や装飾性を高めてもよい。更には、図示しない装飾用ライトを時計本体２１の適宜位置に配置して、液体Ｗの美しい動きや装飾物の美しさを、光によって更に美しく演出させてもよい。
【００５０】
図７は、第２発明における流体演出機能付き時計の他例を示した断面概略図である。なお、同一部材には同一符合を付して、その説明を省略する。同図に示すように、本例では流体貯溜部３３の周壁の一部を内方に向けて突設させ、全周に亘ってテーパ部３３ａを形成しており、このテーパ部３３ａにはダイヤルリング３６が取り付けられている。従って、本例では文字盤２４、時針２６、分針２７、秒針２８及びダイヤルリング３６等から時刻表示部２９が構成されている。また、このダイヤルリング３６にも、文字盤２４と同様に白蝶貝などの装飾物を施して、よりいっそう装飾性を高めてもよく、更にダイヤルリング３６の適宜箇所を切り欠いて、その切欠き部から透明カプセル２３内の液体Ｗの流動が見えるようにしてもよい。一方、前記テーパ部３３ａに直接、数字や文字、或はデザイン等を施すことも可能で、この場合には、ダイヤルリング３６を設けなくてよい。
【００５１】
図示しないが、ダイヤルリングの内部を中空とすると共に、少なくとも表面を透明状にして、このダイヤルリング内に粒状の固形物（例えば、砂）を封入して、使用者の手部の動きに合わせて流動するように設けてもよい。この場合には、透明カプセル２３内に封入された液体Ｗの流動と、このダイヤルリング内に封入された固形物の流動とが相俟って、砂浜を連想させるごとく、流体装飾を現出させることができる。また、ダイヤルリングの設置角度や容積を適宜設定することで、固形物の流動に所望の流速を持たせることができ、上方から下方への移動を美しく表現できる。勿論、ダイヤルリングに封入される流体は液体などでもよく、しかも、透明カプセル２３内に封入される液体Ｗに比して、粘性のある流体を採用すれば、流動速度に違いを持たせた流体装飾を現出させることもでき、更には、夫々異なる色彩を施してもよい。
【００５２】
図示しないが、更に他例として、透明カプセルに強度を持たせて、表示面カバーとしての機能を具備させてもよい。透明カプセルは、樹脂やガラスなどの広範囲にわたる任意の材料から成形することができ、一例として、透明なポリカーボネートの熱可塑性材料を用いて、表示面カバーとしての機能、更には凸レンズ機能も具備した強度のある透明カプセルを採用することも可能である。また、透明カプセルに直接時字や模様などを施して、文字盤としての機能を具備させてもよい。なお、透明カプセルを構成する現出部及び流体貯溜部の容積は、実施に応じて任意に設定することが可能である。
【００５３】
図８は、第２発明における作用説明図である。時刻表示部２９を上向きにして、時刻表示部２９を目視できる状態にすると、同図に示すように、透明カプセル２３の現出部３２内に流入していた液体Ｗは、流体貯溜部３３に向けて流出し始める。この液体Ｗの流出に伴い、現出部３２内には海辺などの波形や潮の引いていく様子を連想させるごとく、液体Ｗによる美しい流動が現出され、更には、文字盤２４に施された白蝶貝などの装飾物が持つ美しさを引き立たせる流体装飾効果が表われる。
【００５４】
図示されるように、現出部３２を曲面形状に形成することで、液体Ｗを現出部３２の略中央から外径方向へ向けて、穏やかに引いていくような流動性を持たせており、波形と相俟って海辺などを連想させるような、より美しい流動を現出させている。勿論、曲面の曲率を大小設定することで、実施に応じた所望の流動性が実現できる。しかも、現出部３２に凸レンズ機能を具備させることで、時刻の確認はもとより、その流体装飾効果を効果的に表現して、これを眺めることができる。
【００５５】
更に、本例のように現出部３２と流体貯溜部３３との境界部（或は、その他の箇所）に実施に応じたオリフィス３４を設けることで、液体Ｗに所望の流出速度を持たせることが可能であり、また、波形の有無も実施に応じて任意に設定できる。このように、文字盤２４などの時刻表示部２９に施されるデザインや装飾物に合った流体装飾を自在に演出させることができるので、使用者は時間の推移を視認しながら、同時にその優れた流体装飾効果によって、商品的価値の高さを認識することになり、更に、その美しい流体装飾効果によって、リラクゼーション効果をも受けることができる。勿論、液体Ｗの流動が時計の時刻表示機能に影響を与えることはなく、また、軽量であるので長時間快適に使用することができる。
【００５６】
次いで、時間の推移の確認が終了し、使用者の手部の動作によって、時刻表示部２９が上向きでない状態となると、流体貯溜部３３に貯溜されていた液体Ｗが現出部３２内へと流入していく。これにより、再び時刻表示部２９を上向きにしたときに、前述した流体装飾効果がいつでも再現される。勿論、時計を装着していない状態においても、この流体装飾効果は実現される。
【００５７】
次に、第３発明である流体演出機能付き時計の実施形態を説明する。図９は、第３発明における流体演出機能付き時計の要部断面図である。同図において、図中３７は、白蝶貝等を加工成形したシートであり、３８は、内部に流体（以下、本例では液体Ｗという）を封入した中空状の透明容体であり、これらシート３７と透明容体３８とは一体的に接合されている。具体例として、図９（ａ）では、シート３７の上面に透明容体３８を積層させて接合し、図９（ｂ）では、透明容体３８の上面にシート３７を積層させて接合している。また、図９（ｃ）及び図９（ｄ）では、シート３７を接合する面をインロー構造にしており、この一段低い取付面３８ａにシート３７を設けている。本例では鏡のように研磨されて加工成形された厚さ０．３ｍｍのシート３７と、厚さ０．７ｍｍの中空状の透明容体３８とを一体的に接合しており、シート３７を接合して成る透明容体３８を、例えば、文字盤の上面に設ける。
【００５８】
これにより、美しい白蝶貝等の装飾に、液体Ｗの動く様子が美しい模様となって映し出され、装飾性の高い時計が実現される。また、前記シート３７には、文字、模様等を適宜の印刷手段を用いて施すこともできる。更に、図示しない装飾用ライトを時計本体の適宜位置に配置すれば、装飾用ライトの光によって、より効果的に演出させることもできる。なお、前記シート３７と透明容体３８は、平面視リング形状や平面視円形状、或は平面視多角形状など、実施に応じてあらゆる形状を採用することができる。勿論、透明容体３８内に封入された液体Ｗが漏れることはない。また、液体Ｗの流動が時計の時刻表示機能に影響を与えることはなく、しかも、軽量であるので長時間快適に使用することができる。
【００５９】
図示しないが、その他、時計本体の平面部の一部に文字盤を配置し、文字盤以外のスペースに文字盤と平面状態に、別の透明カプセルを更に組み込むことで、商品価値の向上を図ってもよい。
【産業上の利用可能性】
【００６０】
本発明に係る流体演出機能付き時計によれば、アナログ表示機能の時計は勿論、デジタル表示機能の時計、アナログ表示機能とデジタル表示機能の両方を備えた時計にも対応でき、また、腕時計に限らず、懐中時計、ポケットウオッチ、ストップウオッチ、目覚時計、置時計、掛時計、音声時計、更には、その他の装飾品にも応用することが可能である。
【図面の簡単な説明】
【００６１】
【図１】第１発明における流体演出機能付き時計の一例を示した概略平面図である。
【図２】第１発明における流体演出機能付き時計の一例を示した断面概略図である。
【図３】第１発明における流体演出機能付き時計の作用説明図である。
【図４】第２発明における流体演出機能付き時計の一例を示した分離斜視図である。
【図５】図４に示す透明カプセルの一部切欠き斜視図である。
【図６】第２発明における流体演出機能付き時計の一例を示した断面概略図である。
【図７】第２発明における流体演出機能付き時計の他例を示した断面概略図である。
【図８】第２発明における流体演出機能付き時計の作用説明図である。
【図９】第３発明における流体演出機能付き時計の要部断面図である。
【符号の説明】
【００６２】
１  時計本体
２  封入室
３  時計ケース
４  凹溝
４ａ  内枠
４ｂ  外枠
５  透明部材
６  表示面カバー
８  文字盤
１３  時刻表示部
１７  オリフィス
１８  シート
１９  リング（ダイヤルリング）
２１  時計本体
２３  透明カプセル
２４  文字盤
２９  時刻表示部
３２  現出部
３３  流体貯溜部
３７  シート
３８  透明容体
Ｗ  流体（液体）
【図１】
2006162587.tif 000003
【図２】
2006162587.tif 000004
【図３】
2006162587.tif 000005
【図４】
2006162587.tif 000006
【図５】
2006162587.tif 000007
【図６】
2006162587.tif 000008
【図７】
2006162587.tif 000009
【図８】
2006162587.tif 000010
【図９】
2006162587.tif 000011